(57)【要約】【課題】屋根に積雪した雪を屋根の上で除雪作業することは大変な労力と危険を伴う作業（除雪作業中に屋根から転落して大怪我や最悪の場合犠牲になる）である。毎年豪雪地域において、上記除雪作業において多くの犠牲者をだしており、特に肉体的に弱いお年寄りが多く犠牲になっていることが社会的な課題であった。【解決手段】雪が屋根に積もり始める初期から電動または手動により上下に長尺刷毛を移動させる手段や回転式長尺ワイパーを回転移動させるなどの手段で除雪作業を行うことができるようにする。【選択図】図１
2007247370.tif 000002
【特許請求の範囲】
【請求項１】
家屋の屋根に長尺刷毛を設置して、前記長尺刷毛を自動的に電動駆動させるか、または手動で駆動させて積雪した雪を取り除くことを特徴とする除雪方法及びその装置。
【請求項２】
家屋の屋根に長尺ワイパーを設置して、前記長尺ワイパーを自動的に電動で駆動させて積雪した雪を取り除くことを特徴とする除雪方法及びその装置。
【発明の詳細な説明】
【技術分野】
【０００１】  本願は屋根の上に積雪した雪を自動的にまたは手動で除雪する装置に関する。
【背景技術】
【０００２】  降雪量の多い地方の屋根の上に積雪した雪を自動的に除雪する装置の先行例として特開昭６２−４５８５７号公報や実開昭６３−４１６１８号公報に開示されている。特開昭６２−４５８５７号公報は屋根に設けたレール上を横行する機体に、電動スクリュー体を取り付けることにより、積雪を安全確実に除去できるようにする装置の先行例である。【０００３】  また実開昭６３−４１６１８号公報は屋根に積もった雪を除雪する可動式小型除雪機の先行例である。【０００４】  上記先行例の特開昭６２−４５８５７号公報は電動スクリューを回転させて、スクリューの刃で積雪した雪を掻き取りながら、雪を刃に沿って屋根の下方に移動させて屋根の下に落下させる装置の例である。【０００５】  また実開昭６３−４１６１８号公報は人間が小型可動式除雪機を使用して、前記除雪機で屋根に積雪した雪を除雪する例である。
【特許文献１】特開昭６２−４５８５７号公報
【特許文献２】実開昭６３−４１６１８号公報
【発明の開示】
【発明が解決しようとする課題】
【０００６】  豪雪地域において、屋根に積雪した雪を屋根の上で除雪（雪下ろし）作業することは大変な労力と危険を伴う作業である。そしてこの除雪作業中に屋根から転落し、大怪我をすることや最悪の場合犠牲になることがある。さらに積雪量がメートル単位になり、この積雪した雪が屋根の上から下に落下すると、落下した雪で人間が埋もれて怪我をすることや犠牲になることがある。毎年豪雪地域において、上記除雪作業において多くの犠牲者をだしており、特に肉体的に弱いお年寄りが多く犠牲になっていることが社会的な課題である。【０００７】  このような状況において、除雪機械を使用して実施する例として、上記のような先行例が開示されているが、先行例の特開昭６２−４５８５７号公報はスクリュウを持つ自動機のために設置が大がかりになる課題を持っている。また先行例の実開昭６３−４１６１８号公報は屋根の上で人間が除雪機を操作して作業をするために、転落の危険性がある課題があるなどのために殆ど普及していない。
【課題を解決するための手段】
【０００８】  本願は上記課題に対して、第一の手段として雪が屋根に積もり始める初期から屋根の面に沿って繰り返し、電動または手動により上下に長尺刷毛を移動させること、第二の手段として回転式長尺ワイパーを回転移動させることにより、雪を屋根の下に落とす作業を行うことができるようにするものである。
【発明の効果】
【０００９】  以下の実施例で具体的に記載する発明により、積雪した雪を除雪する時に、従来は人間が屋根の上で作業をしていた除雪を、電動で自動的に除雪するか、または人間が屋根の下で除雪する。これらの発明により豪雪地域において、屋根に積雪した雪を屋根の上で除雪（雪下ろし）作業する大変な労力と危険を伴う作業から解放することができる。そして従来雪作業中に屋根から転落し、大怪我をすることや犠牲者を出すことも皆無にすることができる。さらに積雪量がメートル単位になり、この積雪した雪が屋根の上から下に落下すると、落下した雪で人間が埋もれて怪我をすることや犠牲者（特に肉体的に弱いお年寄りが多く犠牲になっている）をなくすことができる。
【発明を実施するための最良の形態】
【００１０】  除雪用長尺刷毛の心棒とワイヤを接続させて、このワイヤを電動モーターの回転軸の延長部に設置されたワイヤ巻き取り部で巻き取ることで前記除雪用長尺刷毛を上下に駆動させる。前記電動モーターを駆動させることにより、自動で長尺刷毛を繰り返し屋根の上下を往復させてもよいし、長尺刷毛に接続させたワイヤを手動で上下に往復させてもよい。【００１１】  また除雪用長尺ワイパーを電動モーターの回転軸に接続させて、前記長尺ワイパーを左右に往復半回転移動させてもよい。以下図面を参考にいくつかの実施例を示し、本願を詳細に記載する。
【実施例１】
【００１２】  図１は除雪用長尺刷毛１１を電動モーター１７でループ状に動くワイヤ１４に接続させて、前記電動モーターを駆動させることにより、自動で除雪用長尺刷毛を屋根の上下に動かす一実施例を示す模式図である。図１において、屋根１０の上に除雪用長尺刷毛１１が設置され、前記長尺刷毛１１の心棒１２が前記長尺刷毛１１を屋根１０に沿って上下に移動させるために、移動用ワイヤ１４の一部１３に固定接続されている。移動用ワイヤ１４は屋根の下部両側両端１８に設置された電動モーター１７の回転軸（省略）に直結されたワイヤループ回転部１５と上部両側端部１９に設置されたワイヤループ回転部１６にそれぞれ接続されている。【００１３】  電動モーター１７の駆動により直結されたワイヤループ回転部１５は回転し、ワイヤ１４は下部回転部１５と上部回転部１６間をループ状に移動する。ワイヤ１４の一部１３には長尺刷毛１１の心棒１２が固定接続されているので、長尺刷毛１１は屋根１０の上を移動させることができる。【００１４】  屋根１０の左右両端に長尺刷毛１１の心棒１２の両側端部（省略）を幅決めするガイド部１１０が設置されていて、このガイド部１１０により長尺刷毛１１の位置決めと揺らぎを防止できる。【００１５】  前記長尺刷毛１１の上下への移動は長尺刷毛１１が最下部に移動した時に、長尺刷毛１１の端部（省略）がガイド部の下部に設置されたセンサ（省略）で検出し、この検出信号により電動モーターを逆回転させることで長尺刷毛１１を上方へ移動させることができる。そして長尺刷毛１１が最上部に移動した時にも、長尺刷毛１１の端部をセンサで検出することで同様に逆方向に移動させることができる。
【実施例２】
【００１６】  図２は屋根２０の上に設置された長尺刷毛２１を手動で屋根２０の上を上下させて除雪作業を行う他の実施例を示す模式図である。図２において、長尺刷毛２１の心棒２２にワイヤ２４が接続され、前記ワイヤ２４の一方を除雪作業する人が引くことにより、前記長尺刷毛２１を上方から下方へ移動させることができる。屋根の頂点には前記ワイヤ２４が滑車２６を介して折り返すように設置されているので、下方に移動した前記長尺刷毛２１はワイヤ２４の他方を引くことにより上方へ移動させることができる。屋根２０の左右両端には長尺刷毛２１の心棒２２の両側端部を幅決めするガイド部２１０が設置されていて、このガイド部２１０により長尺刷毛２１の位置決めと揺らぎを防止できる。以上説明のように手動によって長尺刷毛２１を上下方向に移動させて除雪作業を行うことができる。
【実施例３】
【００１７】  図３は屋根３０に長尺ワイパー３１を設置して屋根３０に積雪した雪を（例えばクルマのフロントガラスに降る雨をヤイパーで掃くように）除雪する別の実施例である。ワイパー３１の心棒３２は屋根３０の下方に設置された電動モーター３４の回転軸（図示せず）に接合されていて、前記電動モーター３４の往復回転にともない前記長尺ワイパー３１が矢印方向（左右）に半回転往復する移動により除雪作業を行うことができる。【００１８】  上記に記載の長尺刷毛１１、長尺刷毛２１は模式図の図１、図２においてそれぞれ一本の長尺について記載したが、横方向幅が長い屋根の場合は複数本の長尺刷毛を屋根の横方向に横一列に並べるように設置して除雪することができる。【００１９】  また図３において一本の長尺ワイパーについて記載したが、屋根周辺の複数箇所に複数本の長尺ワイパーを設置して除雪することもできる。
【産業上の利用可能性】
【００２０】  本願は雪が屋根に積もり始める初期から屋根の面に沿って繰り返し、電動または手動により上下に長尺刷毛を移動させる除雪装置や回転式長尺ワイパーを回転移動させる除雪装置の提供は安全に作業を行える除雪装置として広く普及する可能性を持つものであり産業上大きな利益をもたらすものである。
【図面の簡単な説明】
【００２１】
【図１】図１は電動式長尺刷毛除雪装置の模式図である。
【図２】図２は手動式長尺刷毛除雪装置の模式図である。
【図３】図３は電動式長尺ワイパー除雪装置の模式図である。
【符号の説明】
【００２２】  １０，２０，３０    屋根
１１，２１    長尺刷毛
３１    長尺ワイパー
１２，２２    長尺刷毛の心棒
３２    長尺ワイパーの心棒
１３，２３    長尺刷毛とワイヤの接合点
１４    ワイヤ
１５，１６    ワイヤ回転部
１７    電動モーター
１８，１９    屋根の両側端部
１１０，２１０    長尺刷毛位置決め及びガイド
２４    ワイヤ
２５    心棒の両端部
２６    滑車
３３    電動モーター
【図１】
2007247370.tif 000003
【図２】
2007247370.tif 000004
【図３】
2007247370.tif 000005